(57)【要約】【課題】  作業効率の向上と、半田付けにおける熱による部品故障の低減と、半田の垂れによるショートの発生等の低減と、各信号切り替え装置のアイソレーション特性のばらつきの低減と、熱衝撃の信頼性の向上を図ることができる信号切り替え装置、この信号切り替え装置を備えた分配器、およびこの分配器を備えたセットトップボックスおよびテレビジョンを提供する。【解決手段】  筐体５５と、筐体５５に設けられ、入力信号が入力される複数の入力端子１０、１１と、筐体５５内に配置され、複数の入力信号を切り替え処理する処理回路を有する基板５０と、筐体５５に設けられ、出力信号を出力する出力端子１２と、導電性の接着部材２０により基板５０と筐体５５との間に固定され、筐体５５と基板５０との間を電気的に接続可能とする接続部材３０とを備える。【選択図】        図２
2007068030.tif 000002
【特許請求の範囲】
【請求項１】
筐体と、
前記筐体に設けられ、入力信号が入力される複数の入力端子と、
前記筐体内に配置され、複数の前記入力信号を切り替え処理する処理回路を有する基板と、
前記筐体に設けられ、出力信号を出力する出力端子と、
導電性の接着部材により前記基板と前記筐体との間に固定され、前記筐体と前記基板との間を電気的に接続可能とする接続部材と、
を備えた信号切り替え装置。
【請求項２】
前記導電性の接着部材は、半田とされ、前記接続部材は、前記接着部材よりも変形容易な金属部材を含む、請求項１に記載の信号切り替え装置。
【請求項３】
前記接続部材は、前記筐体の壁面のうち、前記入力端子との前記接続部分の周囲に位置する部分に接続される接続部を含む、請求項１または請求項２に記載の信号切り替え装置。
【請求項４】
前記筐体は、該筐体の壁面のうち、前記入力端子との接続部分の周囲に位置する部分に形成された第１凹部または第１凸部を含み、
前記接続部は、前記筐体に形成された第１凹部に挿入される第２凸部または、前記筐体に形成された第１凸部が挿入される第２凹部を含む、請求項３に記載の信号切り替え装置。
【請求項５】
前記接続部材は、前記基板の表面に沿い、前記導電性の接着部材により、前記処理回路が形成された前記基板の表面に固定される平坦部を含む、請求項１から請求項４のいずれかに記載の信号切り替え装置。
【請求項６】
前記基板には、貫通孔が形成され、
前記接続部材は、前記貫通孔内に挿入され、前記処理回路が形成された前記基板の表面に塗布した前記導電性の接着部材によって、前記基板に固定される脚部を含む、請求項１から請求項５のいずれかに記載の信号切り替え装置。
【請求項７】
前記筐体は、上壁部と、該上壁部の周囲に位置する周壁部とを含み、
前記接続部材は、前記上壁部に接触可能な突起部を含む、請求項１から請求項６のいずれかに記載の信号切り替え装置。
【請求項８】
前記上壁部には、穴部が形成され、
前記接続部材は、前記穴部に挿入され、前記導電性の接着部材によって前記上壁部に固定される突出部を含む、請求項１から請求項７のいずれかに記載の信号切り替え装置。
【請求項９】
前記接続部材は、前記入力端子ごとに設けられ、前記筐体の壁面のうち、前記各入力端子との前記接続部分の周囲に位置する部分と、前記基板とを接続する、請求項１から請求項８のいずれかに記載の信号切り替え装置。
【請求項１０】
前記出力端子は、複数設けられ、
前記接続部材は、前記出力端子ごとに設けられ、前記筐体の壁面のうち、前記出力端子との接続部分の周囲に位置する部分と前記基板とを接続する、請求項１から請求項９のいずれかに記載の信号切り替え装置。
【請求項１１】
前記接続部材は、一方の前記入力端子から他方の前記入力端子に向かって延在し、前記筐体の壁面のうち、前記各入力端子との接続部分の周囲に位置する部分と、前記基板とを電気的に接続する、請求項１から請求項８のいずれかに記載の信号切り替え装置。
【請求項１２】
前記出力端子は、複数設けられ、
前記接続部材は、一方の前記入力端子から他方の前記入力端子に向かって延在し、前記一方の前記出力端子と、他方の出力端子に向かって延在し、さらに、前記入力端子と前記出力端子に向かって延在する、請求項１から請求項８のいずれかに記載の信号切り替え装置。
【請求項１３】
前記出力端子は、複数設けられ、
前記接続部材は、一方の前記入力端子から他方の前記入力端子に向かって延在すると共に、一方の前記出力端子から他方の前記出力端子に向けて延在し、さらに、前記一方の入力端子から前記一方の入力端子に向けて延在する請求項１から請求項８のいずれかに記載の信号切り替え装置。
【請求項１４】
請求項１から請求項１３のいずれかに記載の信号切り替え装置を含む、分配器。
【請求項１５】
請求項１から請求項１３のいずれかに記載の信号切り替え装置または、請求項１４に記載の分配器を含む、セットトップボックス。
【請求項１６】
請求項１から請求項１３のいずれかに記載の信号切り替え装置、請求項１４に記載の分配器または、請求項１５に記載のセットトップボックスのいずれかを含む、テレビジョン。
【発明の詳細な説明】
【技術分野】
【０００１】
本発明は、信号切り替え装置、この信号切り替え装置を備えた分配器、およびこの分配器を備えたセットトップボックスおよびテレビジョンに関する。
【背景技術】
【０００２】
従来から、セットトップボックスやテレビジョンセットなどのデジタル放送受信器には、各種信号を分離して受信する信号切り替え装置や分配器を備えている。この信号切り替え装置は、一般に、筐体と、この筐体に設けられ、ＣＡＴＶ（Community Antenna TeleVision）の入力信号や地上波放送用の入力信号等の各入力信号が入力される複数の入力端子と、入力信号を切替処理する処理回路が形成され、筐体内に配置された基板と、出力信号を出力する出力端子とを備えている。このような信号切り替え装置は、処理回路において、地上波放送用の信号と、ＣＡＴＶ用の信号とを選択して、受信した入力信号の一方を出力端子から出力するように構成されている。
【０００３】
しかし、この信号切り替え装置においては、たとえば、地上波用の信号を選択して出力する際に、ＣＡＴＶの信号が筐体を介して、地上波用の入力端子内に入り込み、ＣＡＴＶの信号が混在した地上波用の信号が出力端子から出力されるというような問題があった。そこで、従来から各入力端子間のアイソレーションを確保するために、各種工夫がなされている。たとえば、特開平６−１６４１８１号公報には、シールドケースと、このシールドケースを覆う蓋部とを備えており、シールドケースは、２つの入力端子が設けられたシールド板を備えている。シールド板のうち、入力端子間に位置する部分には、シールド板するように配置された仕切り板が設けられており、蓋部には、この仕切り板に接触する突起と、シールド板に接触する突起とを備えている。このように構成された信号切り替え装置においては、突起により、各入力端子のグランド等の強化が図られている。
【特許文献１】特開６−１６４１８１号公報
【発明の開示】
【発明が解決しようとする課題】
【０００４】
しかし、上記従来の信号切り替え装置においては、突起がシールド板に接触しないことが多く、入力端子間のアイソレーションを確保することが困難であるという問題があった。そこで、各入力端子間のアイソレーションを確保するために、筐体のうち、各入力端子の接続部分の周囲に位置する部分と、基板の周縁部との間を半田で接合する方法が考えられる。これにより、基板と筐体との間が電気的に接合され、一方の入力端子から信号が筐体に伝達された場合においても、筐体に漏れ出た信号は基板に放出され、他方の入力端子を介して、出力信号内に混入されることを抑制することができる。
【０００５】
このような信号切り替え装置においては、基板を筐体内に収納し易くするために、基板の周縁部と、筐体の内壁面との間には、隙間が設けられている。このため、基板の周縁部と筐体の内壁面との間を半田により接続する際には、作業時間を要し、作業効率が悪いという問題がある。また、基板と筐体の内壁面との間の隙間を埋め込むには多量の半田が必要となり、長時間の半田付けにより部品の故障の原因となるという問題もある。さらに、半田が筐体の内壁面や基板上から垂れた場合には、ショート等の原因となるという問題があった。そして、半田付けは、手作業によりなされるものであるため、半田付けを行なう際に塗布される半田の塗布量を均一にすることは、困難であるため、各信号切り替え装置内に塗布される半田の量にばらつきが生じ易く、信号切り替え装置のアイソレーション特性にばらつきが生じやすいという問題があった。また、半田は、熱衝撃に弱く半田にクラックなどが生じやすいという問題がある。
【０００６】
本発明は、上記課題に鑑みてなされたものであり、その目的は、塗布する半田付けの量の低減を図ることにより、作業効率の向上と、半田付けにおける熱による部品故障の低減と、半田の垂れによるショートの発生等の低減と、各信号切り替え装置のアイソレーション特性のばらつきの低減とを図り、さらに、熱衝撃の信頼性の向上が図られた信号切り替え装置、この信号切り替え装置を備えた分配器、およびこの分配器を備えたセットトップボックスおよびテレビジョンを提供することである。
【課題を解決するための手段】
【０００７】
本発明に係る信号切り替え装置は、デジタル放送受信用機器に用いられる信号切り替え装置であって、筐体と、筐体に設けられ、入力信号が入力される複数の入力端子と、筐体内に配置され、複数の入力信号を切り替え処理する処理回路を有する基板と、筐体に設けられ、出力信号を出力する出力端子と、導電性の接着部材により基板と筐体との間に固定され、筐体と基板との間を電気的に接続可能とする接続部材とを備えている。
【０００８】
上記導電性の接着部材は、好ましくは、半田とされ、接続部材は、接着部材よりも変形容易な金属部材を含む。上記接続部材は、筐体の壁面のうち、入力端子との接続部分の周囲に位置する部分と、接続される、接続部を含む。上記筐体は、該筐体の壁面のうち、入力端子との接続部分の周囲に位置する部分に形成された第１穴部または第１凸部を含み、接続部は、筐体に形成された第１凹部に挿入される第２凸部または、筐体に形成された第１凸部が挿入される第２凹部を含む。上記接続部材は、好ましくは、基板の表面に沿い、導電性の接着部材により、処理回路が形成された基板の表面に固定される平坦部を含む。上記基板には、貫通孔が形成され、接続部材は、貫通孔内に挿入され、処理回路が形成された基板の表面に塗布した導電性の接着部材によって、基板に固定される脚部を含む。上記筐体は、上壁部と、該上壁部の周囲に位置する周壁部とを含み、接続部材は、上壁部に接触可能な突起部を含む。上記上壁部には、穴部が形成され、接続部材は、穴部に挿入され、導電性の接着部材によって上壁部に固定される突出部を含む。
【０００９】
上記接続部材は、好ましくは、入力端子ごとに設けられ、筐体の壁面のうち、各入力端子と隣り合う部分と、基板とを接続する。上記出力端子は、複数設けられ、接続部材は、出力端子ごとに設けられ、筐体の壁面のうち、出力端子との接続部分の周囲に位置する部分と基板とを接続する。上記接続部材は、一方の入力端子から他方の入力端子に向かって延在し、筐体の壁面のうち、各入力端子との接続部分の周囲に位置する部分と、基板とを電気的に接続する。上記出力端子は、複数設けられ、接続部材は、好ましくは、一方の入力端子から他方の入力端子に向かって延在し、一方の出力端子と、他方の出力端子に向かって延在し、さらに、入力端子と出力端子に向かって延在する。本発明に係る分配器は、上記信号切り替え装置を含む。本発明に係るテレビジョンは、上記分配器を含む。
【発明の効果】
【００１０】
本発明に係る信号切り替え装置、この信号切り替え装置を備えた分配器、およびこの分配器を備えたセットトップボックスおよびテレビジョンによれば、作業効率の向上と、半田付けにおける熱による部品故障の低減と、半田の垂れによるショートの発生等の低減と、各信号切り替え装置のアイソレーション特性のばらつきの低減と、熱衝撃の信頼性の向上を図ることができる。
【発明を実施するための最良の形態】
【００１１】
（実施の形態１）
図１から図７を用いて、本実施の形態１に係るテレビジョンおよび信号切り替え装置について説明する。図１は、本実施の形態１に係るテレビジョン２００を示す模式図である。この図１に示されるように、テレビジョン２００は、衛星放送受信アンテナ等を有する受信装置２１０ａと、地上波放送の電波を受信する受信装置２１０ｂと、これら受信装置２１０ａ、２１０ｂからの入力信号およびＣＡＴＶ回線２１０ｃからの入力信号を受け取るセットトップボックス等のデータ再生装置２３０と、データ再生装置２３０からの信号に基づいて、画像を表示する画像表示装置２２０と、データ再生装置２３０からの信号に基づいて、音を再生する音響装置２３１とを備えている。
【００１２】
データ再生装置２３０内には、地上波放送用の入力信号やＣＡＴＶ等の入力信号を選択する分配器２１１と、この分配器２１１から出力された出力信号に基づいて画像や音声を再生する画像表示装置２２０とを備えている。そして、分配器２１１内には、入力された各種入力信号のうち、選択した入力信号にみを出力する信号切り替え装置を備えている。なお、データ再生装置２３０は、ケーブルテレビ網等に接続され、番組を受信したり、電話回線に接続されて、インターネットや通信カラオケ等の各種サービスを提供する機器である。
【００１３】
図２は、本実施の形態１に係る信号切り替え装置１００の平面図である。この図２に示されるように、信号切り替え装置１００は、デジタル放送受信用機器等に用いられる信号切り替え装置であって、筐体５５と、この筐体５５内に設けられ、入力信号が入力される複数の入力端子１０、１１と、この筐体５５内に配置され、複数の入力信号を切り替え処理する処理回路を有する基板５０と、筐体５５に設けられ、出力信号を出力する出力端子１２と、半田（導電性の接着部材）２０により、基板５０と筐体５５との間に固定され、筐体５５と基板５０との間を電気的に接続可能とする接続部材３０とを備えている。
【００１４】
筐体５５は、上壁部５４と、この上壁部５４の周縁部に配置され、上壁部５４と交差するように垂下する周壁部５１とを備えている。そして、周壁部５１には、入力端子１０，１１と、出力端子１２とが接続している。この周壁部５１の内壁面のうち、入力端子１０の接続箇所の周囲に位置する部分と、基板５０との間を接続するように、接続部材３０が配置されている。そして、接続部材３０は、筐体５５の内壁面と、基板５０の表面上に半田２０により固定されている。
【００１５】
図３は、接続部材３０と、筐体５５の壁面を示した斜視図である。この図２において、周壁部５１の上端部には、凹部５１ａが間隔を隔てて形成されている。凹部５１は、周壁部５１を貫通するように形成されており、図１に示す入力端子１０と筐体５５との接続箇所の周囲に位置する部分に形成されている。そして、接続部材３０は、平坦面状の天板部３５と、周壁部５１と対向する周縁部の両端部に形成され、天板部３５の表面に沿って外方に突出する凸部３２と、天板部３５の周縁部に形成され、天板部３５と交差する方向に延在する脚部３４とを備えている。接続部材３０のうち、周壁部５１と対向する周縁部のうち、凸部３２間に位置する部分には、天板部３５の表面に沿って外方に突出する凸部３２ａと、この凸部３２ａ間に形成された凹部３２ｂとを備えている。
【００１６】
そして、凸部３２は、凹部５１ａ内に挿入され、半田により固定される。このように、接続部材３０と周壁部５１とが機械的に係合しているため、接続部材３０と周壁部５１との接続が外れ難く、接続部材３０と周壁部５１との間の接続を強固なものとすることができる。たとえば、凹部５１ａ内に凸部３２が挿入されることにより、水平方向の衝撃力が生じた場合においても、接続部材３０と周壁部５１との接続を維持することができる。また、接続部材３０により、筐体５５のうち、入力端子１０と筐体５５との接続箇所の周囲に位置する部分と、基板５０とが、接続部材３０を介して、電気的に接続される。
【００１７】
これにより、図２において、入力端子１０に入力される入力信号が筐体５５に伝達されたとしても、筐体５５に伝達された入力信号は、直ぐに接続部材３０を介して、基板５０に放出される。このため、入力端子１１に入力される入力信号を出力端子から出力する際に、入力端子１０に入力端子に入力される信号が、筐体５５を介して、入力端子１１に進入して、出力されることを抑制することができる。また、入力端子１０に入力される入力信号を出力する際においても、入力端子１１に入力された入力信号が筐体５５に伝達されたとして、接続部材３０を介して、基板５０に放出され、入力端子１１に入力される入力信号が出力されることを抑制することができる。
【００１８】
なお、本実施の形態１においては、接続部材３０に形成された凸部３２と、周壁部５１に形成された凹部５１ａとが係合するように形成されているが、接続部材３０に凹部が形成され、周壁部５１に接続部材３０に形成された凹部に挿入される凸部が形成されてもよい。また、凹部５１ａに替えて、周壁部５１の壁面上に穴部としてもよい。さらに、接続部材３０の一部と、筐体５５の一部とが係合するように構成されておればよく、上記のように、凹部内に凸部を挿入する場合に限られない。
【００１９】
凸部３２ａが周壁部５１の凹部５１ａ間に位置する内壁面と当接することにより、接続部材３０が周壁部５１の内壁面により支持され、接続部材３０が安定する。脚部３４は、天板部３５から垂下する脚３４ａと、この脚３４ａの下端部に形成され、天板部３５と平行となるように屈曲した平坦部３４ｂとを備えている。図４は、接続部材３０と、周壁部５１の断面図である。この図４に示されるように、平坦部３４ｂは、基板５０の表面のうち、処理回路１１０が形成された側の表面に沿うように配置され、半田２０により固定される。
【００２０】
半田２０は、ペースト状のハンダクリームを基板５０の表面に塗り、その上に、平坦部３４ｂを配置して、加熱して、平坦部３４ｂを基板５０の表面上に固定する。ここで、図２に示す凹部５１ａに塗布される半田２０と、図３に示される平坦部３４ｂ下に位置する部分に塗布される半田２０とにより、接続部材３０が基板５０と、筐体５５との間に固定される。このため、基板５０の周縁部と、筐体５５との間を半田で埋め込んで、基板５０と筐体５５との間を接続する場合よりも、必要な半田の量を低減することができる。
【００２１】
このため、半田付けの時間の短縮化を図ることができ、半田付けの熱による部品故障の発生を低減することができる。また、塗布される半田２０の量が低減されているため、半田２０が基板５０の表面上から垂れ落ちることを抑制することができ、ショートなどの不具合の発生を抑制することができる。さらに、半田２０が塗布される位置は、予め、図２に示す凹部５１ａ内と、図３に示す平坦部３４ｂ下の位置とに限られているために、製造される各信号切り替え装置１００によって、半田が塗布される位置にばらつきが生じ難く、各信号切り替え装置１００によって、アイソレーション特性にばらつきが生じることを抑制することができる。
【００２２】
その上、接続部材３０と、筐体５５とを機械的に接合するため、接続部材３０の位置決めを容易に行なうことができ、また、半田付けする位置も予め決まっており、さらに、塗布される半田の量が低減されているため、接続部材３０を半田付けする作業が低減され、作業時間を低減することがでる。
【００２３】
接続部材３０は、半田より変形しやすい金属材料を含み、導電性の高い金属材料を含むのが好ましい。すなわち、接続部材は、半田より弾性係数が大きい金属や、塑性変形しやすい金属により形成されるのが好ましく、たとえば、鉄により形成されるのが好ましい。このような材料により接続部材３０が形成されることにより、信号切り替え装置１００の温度が大きく変動することにより、半田が膨張または収縮すると、接続部材３０が変形する。このように、半田２０の膨張および収縮にあわせて、接続部材３０が変形することにより、半田２０の膨張または収縮が、外部からの応力により制限され難くなっており、半田２０内に大きな内部応力が生じることが抑制されている。これにより、半田２０にクラックが生じ難くなり、入力端子１０、１１同士のアイソレーションを確保することができ、信号切り替え装置１００の信頼性を向上させることができる。
【００２４】
図５は、基板５０の表面に形成された処理回路の回路図である。この図５に示されるように、処理回路１１０は、入力端子１０、１１と、出力端子１２と、入力端子１０と出力端子１２との間に配置された複数のスイッチ１５、１６、１７と、入力端子１０と出力端子１２との間に配置された複数のスイッチ１７、１８、１９と、各スイッチ１５〜１９を制御する制御部１４とを備えている。そして、制御部１４が、各スイッチ１５〜１９を制御することにより、入力端子１０または入力端子１１から入力された入力信号の一方を出力端子１２に出力する。
【００２５】
図６は、接続部材３０の第１変形例を示す接続部材３０と、周壁部５１の断面図である。この図６において、基板５０の上面上および下面上には、処理回路１１０が形成されており、この基板５０には、貫通孔５０ａが形成されている。そして、貫通孔５０ａ内に、棒状の脚部３４が挿入されている。脚部３４は、天板部３５の表面と交差する方向に直線状に延在している。この脚部３４は、基板５０の表面のうち、処理回路１１０が形成された表面側に塗布された半田により、基板５０の表面に固定されている。この基板５０の表裏面に処理回路１１０が形成されているため、脚部３４は、基板５０の表裏面に塗布された半田２０および貫通孔５０ａ内に充填された半田２０により基板５０に固定されている。
【００２６】
脚部３４は、たとえば、いわゆるリフロー工程または、フロー工程により、基板５０の表面上に固定される。具体的には、貫通孔５０ａ内に脚部３４の端部を挿入した後に、噴流半田槽により半田付けすることにより、基板５０の表面に固定したり、または、ペースト状のハンダクリームを用いて基板５０に固定する。
【００２７】
このように脚部３４が貫通孔５０ａ内に挿入されることにより、基板５０の表面と平行な方向に応力が生じても、基板５０と接続部材３０との接続を確保することができる。また、基板５０の表裏面に形成された処理回路１１０のいずれについても、接続部材３０を介して、グランドをとることができる。なお、貫通孔５０ａは、スルーホールまたは、ＮＣ孔のいずれであってもよい。
【００２８】
図７は、接続部材３０の第２変形例を示す断面図である。この図７に示すように、基板５０には、貫通孔５０ａが形成されており、この基板５０の下面側に処理回路１１０が形成されている。そして、接続部材３０の脚部３４の終端部側が貫通孔５０ａ内に挿入されている。この脚部３４の終端部側は、基板５０の表面のうち、処理回路１１０が形成された表面側に塗布された半田２０により基板５０に固定されている。
【００２９】
（実施の形態２）
図８は、実施の形態２に係る信号切り替え装置１００の平面図である。この図８に示されるように、信号切り替え装置１００は、複数の入力端子１０、１１を備え、この入力端子１０、１１ごとに接続部材３０が設けられている。そして、各接続部材３０により、筐体５５の壁面のうち、各入力端子１０、１１と筐体５５との接続箇所の周囲に位置する部分と、基板５０とが接続されている。このように、各入力端子１０、１１と筐体５５との接続箇所の周囲に位置する部分と基板５０とを電気的に接続することにより、各入力端子１０、１１から筐体５５に漏れ出た入力信号は、各入力端子１０、１１の近傍に配置された接続部材３０により基板５０に放出され、各入力信号が混ざって出力されることを効果的に抑制することができる。なお、上記構成以外の構成は、上記実施の形態１に係る信号切り替え装置と同様の構成を有しており、上記実施の形態１に係る信号切り替え装置１００と同様の作用・効果を得ることができる。
【００３０】
（実施の形態３）
図９を用いて、本実施の形態３に係る信号切り替え装置１００について説明する。この図９に示されるように、信号切り替え装置１００は、複数の入力端子１０、１１と、入力端子１０から入力端子１１に向けて延在するように配置された接続部材４０とを備えている。接続部材４０は、筐体５５の壁面のうち、各入力端子１０、１１と筐体５５との接続箇所の周囲に位置する部分に形成された凹部内に挿入される複数の凸部４２と、基板５０に向けて突出する脚部４４とを備えている。そして、凸部４２と筐体５５とは、半田により固定され、また、脚部４４も基板５０に固定される。このようにして、接続部材４０は、筐体５５の壁面のうち、各入力端子１０、１１と筐体５５との連結箇所に位置する部分と、基板５０とを電気的に連結する。
【００３１】
このように構成された信号切り替え装置１００は、１つの接続部材４０を配置することにより、各入力端子１０、１１と筐体５５との連結箇所の周囲に位置する部分と、基板５０とを連結することができ、作業効率の向上を図ることができる。
【００３２】
なお、上記構成以外の構成は、上記実施の形態１に係る信号切り替え装置１００と同様に構成されており、上記実施の形態１に係る信号切り替え装置１００と同様の作用・効果を得ることができる。
【００３３】
（実施の形態４）
図１０、図１１を用いて、本実施の形態４に係る信号切り替え装置１００について説明する。図１０は、本実施の形態４に係る信号切り替え装置１００内に配置される接続部材４０の斜視図であり、図１１は、本実施の形態４に係る信号切り替え装置１００の断面図である。図１０に示されるように、天板部３５の上面上には、馬蹄形状に延在する溝部が形成されており、この溝部により模られた部分は、天板部３５の下面側から上方に向けて押圧することにより、折り返すことができ、図１１に示す、天板部３５から上方に突出する突出部３５ａを形成することができる。
【００３４】
図１１において、突出部３５ａは、筐体５５の上壁部５４の上面５３と接触可能とされており、突出部３５ａが上壁部５４と接触することにより、筐体５５と基板５０とが電気的に接続される箇所が多くなり、基板５０のグランドを強化することができる。また、筐体５５と基板５０とが電気的な接続箇所が多くなると、各入力端子１０、１１から筐体５５内に伝達された入力信号が基板５０に放出されやすく、各入力端子１０、１１間のアイソレーションを向上させることができる。
【００３５】
また、天板部３５のうち、馬蹄形状に延在する溝部により模られた部分を上方に押圧するという簡易な作業により、突出部３５ａを形成することができるため、作業効率を低下させることなく、各入力端子１０、１１間のアイソレーション特性を向上させることができる。なお、上記構成以外の構成は、上記実施の形態１に係る信号切り替え装置１００と同様の構成を有しており、上記実施の形態１に係る信号切り替え装置１００と同様の作用・効果を得ることができる。
【００３６】
（実施の形態５）
図１２と図１３とを用いて、本実施の形態５に係る信号切り替え装置１００について説明する。図１２は、本実施の形態５に係る信号切り替え装置１００の断面図であり、図１３は、本実施の形態５に係る信号切り替え装置１００内に配置される接続部材３０の斜視図である。図１３に示されるように、接続部材３０は、天板部３５の周縁部のうち、凸部３２が形成された周縁部と対向する周縁部に形成され、天板部３５と交差する方向である上方に向けて突出する２つの突起部３６を備えている。
【００３７】
そして、図１２に示されるように、筐体５５の上壁部５４の上面５３には、貫通孔５３ａが形成されている。この貫通孔５３ａ内には、突起部３６が挿入されており、上壁部５４の上面側および下面側と、貫通孔５３ａ内に充填された半田により、突起部３６が上壁部５４に固定されている。このように、突起部３６が貫通孔５３ａ内に挿入されて、半田により固定されることにより、接続部材３０が、筐体５５の上壁部５４と、周壁部５１とで固定され、接続部材３０を筐体５５に良好に固定することができ、また、基板５０のグランドを向上させることができる。なお、上記構成以外の構成については、上記実施の形態１に係る信号切り替え装置１００と同様の構成を有しており、上記実施の形態１に係る信号切り替え装置１００と同様の作用・効果を得ることができる。
【００３８】
（実施の形態６）
図１４から図１７を用いて、本実施の形態６について説明する。図１４は、本実施の形態６に係る信号切り替え装置１００の平面図である。この図１４に示されるように、信号切り替え装置１００は、筐体５５の壁面のうち、出力端子１２と筐体５５との接続箇所の周囲に位置する部分と、基板５０とを接続する接続部材３０ａと、各入力端子１０，１１と筐体５５との接続箇所の周囲に位置する部分と、基板５０とを接続する接続部材３０ｂとを備えている。
【００３９】
このような信号切り替え装置１００においては、出力端子１２から出力される出力信号が、筐体５５に漏れ出た場合においても、接続部材３０ａを介して、基板５０に放出される。このため、出力端子１２から筐体５５に漏れ出た出力信号が、筐体５５を介して、入力端子１０、１１から処理回路１１０内に入り込むことを抑制することができる。
【００４０】
図１５は、本実施の形態６に係る信号切り替え装置１００の第１変形例を示す平面図である。この図１５に示されるように、信号切り替え装置１００は、複数の出力端子１２と、複数の入力端子１０、１１とを備え、各出力端子１２および入力端子１０、１１には、それぞれ接続部材３０ａ、３０ｂが設けられている。このため、筐体５５のうち、各出力端子１２と筐体５５との接続箇所の周囲に位置する部分と、基板５０とが接続され、各出力端子１２から筐体５５に出力信号が漏れ出た場合においても、漏れ出た出力信号が、他の出力端子１２や、入力端子１０、１１から処理回路１１０内に入り込むことを抑制することができる。すなわち、出力端子１２間のアイソレーションと、出力端子１２と入力端子１０、１１との間のアイソレーションと、入力端子１０、１１間のアイソレーションを確保することができる。
【００４１】
図１６は、本実施の形態６に係る信号切り替え装置１００の第２変形例を示す平面図である。この図１６に示されるように、信号切り替え装置１００は、複数の出力端子１２と、複数の入力端子１０、１１とを備え、一方の出力端子１２から他方の出力端子１２に向けて延在する接続部材４０ａと、一方の入力端子１０から他方の入力端子１１に向けて延在する接続部材４０ｂとを備えている。このような信号切り替え装置１００によれば、筐体５５のうち、各出力端子１２と筐体５５との接続箇所の周囲に位置する部分と、基板５０との接続を１つの接続部材４０ａにより行なうことができる。これにより、接続部材４０ａの半田付け作業を軽減することができると共に、各端子間のアイソレーションを確保することができる。
【００４２】
図１７は、本実施の形態６に係る信号切り替え装置１００の第３変形例を示す平面図である。この図１７に示されるように、信号切り替え装置１００は、複数の出力端子１２と、複数の入力端子１０、１１とを備えており、一方の出力端子１２から他方の出力端子１２に向けて延在すると共に、他方の出力端子１２から一方の入力端子１０に向けて延在し、そして、一方の入力端子１０から他方の入力端子１１に向けて延在する接続部材４０ｃを備えている。この接続部材４０ｃは、筐体５５のうち、各出力端子１２と筐体５５との接続箇所の周囲および、各入力端子１０、１１と筐体５５との接続箇所の周囲と、基板５０とを接続する。このような信号切り替え装置１００によれば、１つの接続部材４０ｃにより、各端子間のアイソレーションを確保することができ、接続部材４０ｃの半田付け作業を低減することができる。
【００４３】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００４４】
本発明は、信号切り替え装置、この信号切り替え装置を備えた分配器、およびこの分配器を備えたセットトップボックスおよびテレビジョンに好適である。
【図面の簡単な説明】
【００４５】
【図１】実施の形態１に係るテレビジョンを示す模式図である。
【図２】実施の形態１に係る信号切り替え装置の平面図である。
【図３】接続部材と、筐体の壁面を示した斜視図である。
【図４】接続部材と、周壁部の断面図である。
【図５】基板の表面に形成された処理回路の回路図である。
【図６】接続部材の第１変形例を示す接続部材と、周壁部の断面図である。
【図７】接続部材の第２変形例を示す断面図である。
【図８】実施の形態２に係る信号切り替え装置の平面図である。
【図９】実施の形態３に係る信号切り替え装置の平面図である。
【図１０】実施の形態４に係る信号切り替え装置内に配置される接続部材の斜視図である。
【図１１】実施の形態４に係る信号切り替え装置の断面図である。
【図１２】実施の形態５に係る信号切り替え装置の断面図である。
【図１３】実施の形態５に係る信号切り替え装置内に配置される接続部材の斜視図である。
【図１４】実施の形態６に係る信号切り替え装置の平面図である。
【図１５】実施の形態６に係る信号切り替え装置の第１変形例を示す平面図である。
【図１６】実施の形態６に係る信号切り替え装置の第２変形例を示す平面図である。
【図１７】実施の形態６に係る信号切り替え装置の第３変形例を示す平面図である。
【符号の説明】
【００４６】
１０，１１  入力端子、３０  接続部材、３２  凸部、３４  脚部、５０  基板、５５  筐体、１００  信号切り替え装置、１１０  処理回路、２００  テレビジョン。
【図１】
2007068030.tif 000003
【図２】
2007068030.tif 000004
【図３】
2007068030.tif 000005
【図４】
2007068030.tif 000006
【図５】
2007068030.tif 000007
【図６】
2007068030.tif 000008
【図７】
2007068030.tif 000009
【図８】
2007068030.tif 000010
【図９】
2007068030.tif 000011
【図１０】
2007068030.tif 000012
【図１１】
2007068030.tif 000013
【図１２】
2007068030.tif 000014
【図１３】
2007068030.tif 000015
【図１４】
2007068030.tif 000016
【図１５】
2007068030.tif 000017
【図１６】
2007068030.tif 000018
【図１７】
2007068030.tif 000019